(57)【要約】【課題】高解像度化するディスプレイを有効に活用して、より高度なコミュニケーションを可能とする携帯端末装置を提供すること。【解決手段】他の携帯端末装置と映像及び音声の送受信を行うテレビ電話機能を有する携帯端末装置であって、テレビ電話利用時に他のアプリケーションを起動して２分割画面にてテレビ電話画面１０１とアプリケーション画面１０３とをディスプレイ２８に表示し、且つ上記他のアプリケーションによる表示画面を通信相手先の携帯端末装置に送信する。【選択図】      図１２
2008048062.tif 000002
【特許請求の範囲】
【請求項１】
他の端末装置と少なくとも映像の送受信を行うテレビ電話機能を有する携帯端末装置であって、
前記映像を表示する表示手段と、
前記映像を前記他の端末装置に送信する送信手段と、
前記他の端末装置から受信映像を受信する受信手段と、
前記映像又は前記受信画像と、所定のアプリケーションプログラムによる表示映像であるアプリケーション映像とを前記表示手段に表示させる表示制御手段と、
前記表示手段に表示された前記受信画像または前記アプリケーション映像を、選択する選択手段と、
前記送信手段に、前記選択手段によって選択された前記映像または前記アプリケーション映像を前記他の端末装置へ送信させる送信制御手段と、
を具備することを特徴とする携帯端末装置。
【請求項２】
他の端末装置と少なくとも映像の送受信を行うテレビ電話機能を有する携帯端末装置であって、
前記映像を表示する表示手段と、
前記映像を前記他の端末装置に送信する送信手段と、
前記他の端末装置から受信映像を受信する受信手段と、
前記テレビ電話機能を起動中に前記受信画像を表示しているときに所定のアプリケーションを起動させる操作がなされると、所定のアプリケーションプログラムによる表示映像であるアプリケーション映像を前記表示手段に表示させる表示制御手段と、
前記所定のアプリケーションを起動させる操作に応じて、前記送信手段によって送信している前記映像に代えて前記アプリケーション映像を前記他の端末装置へ送信させる送信制御手段と、
を具備することを特徴とする携帯端末装置。
【請求項３】
前記選択手段は略十字形状を呈し、該略十字形状のうち所定の箇所が複数回連続的に押圧操作される又は長押しされたことで前記表示手段に表示中の前記テレビ電話映像または前記アプリケーション映像が操作対象として選択されることを特徴とする請求項１に記載の携帯端末装置。
【請求項４】
複数の所定の項目から成るメニュー画面を前記表示手段に表示させる為のメニュー画面表示操作手段を更に具備し、
前記複数の所定の項目のうち、前記表示手段に表示中の前記アプリケーション映像を前記他の携帯端末装置に送信する旨の項目が選択された場合に、前記送信制御手段は、前記表示手段に表示中の前記アプリケーション映像を、前記他の端末装置に送信することを特徴とする請求項１に記載の携帯端末装置。
【請求項５】
前記アプリケーション映像は、前記テレビ電話機能による前記テレビ電話映像の圧縮に使用される所定の映像コーデックで圧縮された後、前記他の携帯端末装置に送信されることを特徴とする請求項１乃至４の何れか１つに記載の携帯端末装置。
【発明の詳細な説明】
【技術分野】
【０００１】
本発明は、携帯電話機等の携帯端末装置に関し、特にテレビ電話機能を有する携帯端末装置に関する。
【背景技術】
【０００２】
近年、テレビ電話機能を有する携帯電話機が増加している。このようなテレビ電話機能を有する携帯電話機に関連する技術として、例えば特許文献１に以下のような技術が開示されている。
【０００３】
すなわち、特許文献１には、テレビ電話による通話を行う際に通話者自身のプライバシーを保護しつつ、通話相手先とのコミュニケーションを可能とする通信端末装置が開示されている。この通信端末装置によれば、テレビ電話による呼が確立しても、当該通信端末装置が“画像不送信状態”に設定されていれば、当該時点におけるユーザーの画像の代わりに、予め設定されている代替画像が通話相手の通信端末装置に送信される。
【特許文献１】特開２００６―６７４３６号公報
【発明の開示】
【発明が解決しようとする課題】
【０００４】
ところで、携帯電話機の有するディスプレイに関しては、近年デバイス技術の進歩によって、より高解像度のＬＣＤ（Ｌｉｑｕｉｄ  Ｃｒｙｓｔａｌ  Ｄｉｓｐｌａｙ）が搭載されるようになった。具体的には、携帯電話機に搭載されるディスプレイは、図１３に示すように縦横の画素数が３２０×２４０ドットであるＱＶＧＡから、縦横の画素数が６４０×４８０ドットであるＶＧＡに移行する傾向がある。そして今後は、このように高解像度化する傾向にあるディスプレイを、より有効に活用する携帯電話機が求められると考えられる。
【０００５】
なお、上記特許文献１には、上述したような高解像度化するディスプレイを有効に活用することに関する技術に関しては、上記特許文献１には開示は勿論、示唆すらされていない。
【０００６】
本発明は、上記の事情に鑑みてなされたもので、高解像度化するディスプレイを有効に活用して、より高度なコミュニケーションを可能とする携帯端末装置を提供することを目的とする。
【課題を解決するための手段】
【０００７】
上記の目的を達成するために、本発明の第１の態様による携帯端末装置は、他の端末装置と少なくとも映像の送受信を行うテレビ電話機能を有する携帯端末装置であって、前記映像を表示する表示手段と、前記映像を前記他の端末装置に送信する送信手段と、前記他の端末装置から受信映像を受信する受信手段と、前記映像又は前記受信画像と、所定のアプリケーションプログラムによる表示映像であるアプリケーション映像とを前記表示手段に表示させる表示制御手段と、前記表示手段に表示された前記受信画像または前記アプリケーション映像を、選択する選択手段と、前記送信手段に、前記選択手段によって選択された前記映像または前記アプリケーション映像を前記他の端末装置へ送信させる送信制御手段と、を具備することを特徴とする。
【０００８】
上記の目的を達成するために、本発明の第２の態様による携帯端末装置は、他の端末装置と少なくとも映像の送受信を行うテレビ電話機能を有する携帯端末装置であって、前記映像を表示する表示手段と、前記映像を前記他の端末装置に送信する送信手段と、前記他の端末装置から受信映像を受信する受信手段と、前記テレビ電話機能を起動中に前記受信画像を表示しているときに所定のアプリケーションを起動させる操作がなされると、所定のアプリケーションプログラムによる表示映像であるアプリケーション映像を前記表示手段に表示させる表示制御手段と、前記所定のアプリケーションを起動させる操作に応じて、前記送信手段によって送信している前記映像に代えて前記アプリケーション映像を前記他の端末装置へ送信させる送信制御手段と、を具備することを特徴とする。
【発明の効果】
【０００９】
本発明によれば、高解像度化するディスプレイを有効に活用して、より高度なコミュニケーションを可能とする携帯端末装置を提供することができる。
【発明を実施するための最良の形態】
【００１０】
以下、図面を参照して本発明の一実施形態に係る携帯電話機を説明する。
【００１１】
図１は、本発明の一実施形態に係る携帯電話機の構成を示すブロック図である。
【００１２】
同図において、図示しない基地局から送信された無線信号は、アンテナ１１で受信されたのちアンテナ共用器（ＤＵＰ）１２を介して受信回路（ＲＸ）１３に入力される。受信回路１３は、上記受信された無線信号を周波数シンセサイザ（ＳＹＮ）１４から出力された局部発振信号とミキシングして中間周波信号に周波数変換（ダウンコンバート）する。そして、このダウンコンバートされた中間周波信号を直交復調して受信ベースバンド信号を出力する。なお、上記周波数シンセサイザ１４から発生される局部発振信号の周波数は、制御ユニット２３から出力される制御信号ＳＹＣによって指示される。
【００１３】
上記受信ベースバンド信号はＣＤＭＡ信号処理ユニット１６に入力される。ＣＤＭＡ信号処理ユニット１６はＲＡＫＥ受信機を備える。ＲＡＫＥ受信機では、上記受信ベースバンド信号に含まれる複数のパスがそれぞれ拡散符号により逆拡散処理される。そして、この逆拡散処理された各パスの信号が位相を調停されたのち合成される。かくして、所定の伝送フォーマットの受信パケットデータが得られる。この受信パケットデータは圧縮伸長処理ユニット（以後コンパンダと称する）１７に入力される。
【００１４】
上記コンパンダ１７は、上記ＣＤＭＡ信号処理ユニット１６から出力された受信パケットデータを多重分離部によりメディアごとに分離する。そして、この分離されたメディアごとのデータに対しそれぞれ復号処理を行う。例えば、通話モードにおいては、受信パケットデータに含まれている通話音声等のオーディオデータをスピーチコーデックにより復号する。
【００１５】
また、本一実施形態に係る携帯電話機はいわゆるテレビ電話機能を有するが、テレビ電話のように、受信パケットデータにビデオデータが含まれていれば、このビデオデータをビデオコーデックにより復号する。
【００１６】
上記復号処理により得られたディジタルオーディオ信号はＰＣＭ符号処理ユニット（以後ＰＣＭコーデックと称する）１８に供給される。ＰＣＭコーデック１８は、コンパンダ１７から出力されたディジタルオーディオ信号をＰＣＭ復号してアナログオーディオ信号を出力する。このアナログオーディオ信号は、受話増幅器１９にて増幅されたのちスピーカ２０より出力される。
【００１７】
なお、オーディオ再生モードが設定されている場合には、制御ユニット２３は記憶ユニット２４から該当するオーディオコンテンツを読み出し、このオーディオコンテンツを復号処理したのち上記ＰＣＭコーデック１８及び受話増幅器１９を介してスピーカ２０から拡声出力する。
【００１８】
上記コンパンダ１７により復号されたディジタルビデオ信号は、制御ユニット２３に入力される。制御ユニット２３は、上記コンパンダ１７から出力されたディジタルビデオ信号を、ビデオＲＡＭを介してディスプレイ２８に表示する。なお、制御ユニット２３は、受信されたビデオデータばかりでなく、後述するカメラ３３により撮像されたビデオデータについてもビデオＲＡＭを介してディスプレイ２８に表示する。
【００１９】
また上記コンパンダ１７は、受信パケットが電子メールの場合には、この電子メールを制御ユニット２３に供給する。制御ユニット２３は、上記電子メールを記憶ユニット２４に保存する。そして、入力デバイス２７の操作状態に応じて、記憶ユニット２４から上記電子メールを読み出し、この電子メールをディスプレイ２８に表示する。
【００２０】
一方、通話モードにおいて、マイクロホン２１に入力された話者の音声信号は、送話増幅器２２により適正レベルまで増幅されたのち、ＰＣＭコーデック１８によりＰＣＭ符号化処理が施されてディジタルオーディオ信号となり、コンパンダ１７に入力される。また、後述するカメラ３３から出力されるビデオ信号は、制御ユニット２３によりディジタル化されてコンパンダ１７に入力される。なお、制御ユニット２３において作成された電子メールも、制御ユニット２３からコンパンダ１７に入力される。
【００２１】
上記コンパンダ１７は、ＰＣＭコーデック１８から出力されたディジタルオーディオ信号より入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御ユニット２３から出力されたディジタルビデオ信号を符号化してビデオデータを生成する。そして、これらのオーディオデータ及びビデオデータを多重分離部で所定の伝送フォーマットに従いパケット化し、この送信パケットデータをＣＤＭＡ信号処理ユニット１６へ出力する。なお、制御ユニット２３から電子メールが出力された場合にも、この電子メールを上記送信パケットデータに多重化する。
【００２２】
ＣＤＭＡ信号処理ユニット１６は、上記コンパンダ１７から出力された送信パケットデータに対し、送信チャネルに割り当てられた拡散符号を用いてスペクトラム拡散処理を施す。そして、その出力信号を送信回路（ＴＸ）１５へ出力する。送信回路１５は、上記スペクトラム拡散された信号をＱＰＳＫ（Ｑｕａｄｒａｔｕｒｅ  Ｐｈａｓｅ  Ｓｈｉｆｔ   Ｋｅｙｉｎｇ）方式等のディジタル変調方式を使用して変調する。そして、この変調により生成された送信信号を、周波数シンセサイザ１４から発生される局部発振信号と合成して無線信号に周波数変換する。そして、制御ユニット２３により指示される送信電力レベルとなるように上記無線信号を高周波増幅する。この増幅された無線信号は、アンテナ共用器１２を介してアンテナ１１に供給され、このアンテナ１１から図示しない基地局へ向けて送信される。
【００２３】
また、本一実施形態に係る携帯電話機はテレビジョン受信機（テレビ受信機）３０を備えている。テレビ受信機３０は、例えば地上波テレビジョン放送信号をアンテナ３１を介して受信し、受信されたテレビジョン放送信号を復調してディジタル映像信号及び音声信号に変換する。ディジタル映像信号は、制御ユニット２３によりディスプレイ２８に表示される。ディジタル音声信号は、制御ユニット２３からＰＣＭコーデック１８に供給され、このＰＣＭコーデック１８でアナログ音声信号に変換されたのち受話増幅器１９を介してスピーカ２０から出力される。
【００２４】
さらにテレビ受信機３０はＦＭ放送信号の受信機能も有しており、受信したＦＭ放送信号を復調してディジタル音声信号を出力する。このディジタル音声信号は、上記テレビジョン放送信号から復調したディジタル音声信号と同様に、制御ユニット２３からＰＣＭコーデック１８に供給され、このＰＣＭコーデック１８でアナログ音声信号に変換されたのち受話増幅器１９を介してスピーカ２０から出力される。なお、図示しないイヤホン端子にイヤホンが接続された場合には、上記ＰＣＭコーデック１８から出力された音声信号は上記スピーカ２０に代わってイヤホンから出力される。  
電源回路２６は、バッテリ２５の出力をもとに所定の動作電源電圧Ｖccを生成して各回路部に供給する。バッテリ２５は充電回路２９により充電される。
【００２５】
ところで、上記制御ユニット２３は例えばマイクロコンピュータ（ＣＰＵ；Ｃｅｎｔｒａｌ  Ｐｒｏｃｅｓｓｉｎｇ  Ｕｎｉｔ）を備えたものであり、本一実施形態に係る携帯電話機に特徴的な動作制御としては、主として以下のような動作制御を行う。
【００２６】
まず、上記制御ユニット２３は、上記ディスプレイ２８における表示画面を２分割して、テレビ電話機能による表示映像であるテレビ電話映像と、所定のアプリケーションプログラムによる表示映像であるアプリケーション映像とを上記ディスプレイ２８に同時に表示させる。また、上記制御ユニット２３は、上記入力デバイス２７の操作状態（詳細は図４、図７及び図１２を参照して後述する）に基づいて、他の携帯電話機等の携帯端末装置に送信する映像を、上記テレビ電話映像から上記アプリケーション映像に切り替える。
【００２７】
ところで、上記カメラ３３は撮像を行う為のカメラである。本一実施形態に係る携帯電話機では、テレビ電話における表示映像としてのビデオデータは、上記カメラ３３によって撮像され取得される。
【００２８】
以下、本一実施形態に係る携帯電話機の外観の一例を、図２及び図３を参照して説明する。
【００２９】
ここで、図２は、携帯電話機１を約１８０度開いた時の外観図であり、図２（Ａ）は正面図、図２（Ｂ）は側面図である。また、図３は携帯電話機１を閉じた時の外観図であり、図３（Ａ）は正面図、図３（Ｂ）は側面図である。ここで、携帯電話機１においては、上筐体部２Ａと下筐体部２Ｂとが、ヒンジ部２Ｃを介して接続されている。
【００３０】
上記上筐体部２Ａは、ＬＣＤ等から成る上記ディスプレイ２８、受信した音声を発声するレシーバとしての上記スピーカ２０、携帯電話機１の状態を検知するための磁気センサ３ａ，３ｃ、上記カメラ３３、ＬＣＤ等から成るサブディスプレイ２８ａ、及び静電タッチパッド４を有している。ここで、上記サブディスプレイ２８ａと上記静電タッチパッド４とは、上筐体部２Ａの同一の面上に備えられている。同様に、上記スピーカ２０と、上記ディスプレイ２８と、上記カメラ３３とは、上記筐体部２Ａの同一の面上に備えられている。
【００３１】
上記下筐体部２Ｂは、数字、文字、携帯電話機１の操作等を入力するためのキー５Ａ、サイドキー５Ｂ、集音するためのマイクロホン（図２（Ａ）においては送話口を指し示している）２１、及び携帯電話機１の状態を検知するための磁気センサ３ｂ、３ｄを有している。なお、図２に示す上記キー５Ａ及び上記サイドキー５Ｂは、図１に示す上記入力デバイス２７に対応する。
【００３２】
なお、上記上筐体部２Ａ及び上記下筐体部２Ｂに設けられている磁気センサ３ａ乃至３ｄは、これらセンサ同士が所定の距離内まで近接した状態となると検出信号を出力する。ここで、上記各センサ３ａ乃至３ｄのうち、磁気センサ３ａと磁気センサ３ｂとから成る対は、上筐体部２Ａと下筐体部２Ｂとが重なり合っているか否かを検出する為の対である。
【００３３】
以下、上記ディスプレイ２８の表示例、及び上記キー５Ａの配置例を説明する。ここで、図４（Ａ）は上記ディスプレイ２８の表示例、図４（Ｂ）は上記キー５Ａの配置例を示す図である。
【００３４】
図４（Ａ）に示すように、上記ディスプレイ２８には、一番上の行（以降、上ピクト行と称する）には、現在のアンテナ１１の感度のレベルを示したアンテナピクト５１と、携帯電話機１の現在の電池残量を示す電池ピクト５２と、現在の時刻を表示する時刻表示５３と、ＢＴ（Ｂｌｕｅｔｏｏｔｈ（登録商標））の起動中に表示されるＢＴアイコン５４と、例えばＭｕｓｉｃ  Ｐｌａｙｅｒ（以降、ＭＰと称する）が起動されているときに表示されるミュージックアイコン５５とが表示されている。
【００３５】
ここで、上記ＢＴアイコン５４は、ＢＴの接続中は青色でアイコンの背景が表示（図の楕円の中が青色）され、サーバ動作（ＢＴ接続待ち状態）の際には白色で表示（図の楕円の中が白色）される。そして、ＢＴ接続がなされていないとき（ＢＴリンクが切断されたときも含む）は消灯するよう制御される。
【００３６】
また、上記ミュージックアイコン５５は、前述のとおりＭＰが起動されているときに表示されるが、バックグラウンドミュージック（以降、ＢＧＭと称する）として再生されている時にも表示されており、それ以外のときは消灯するよう上記制御ユニット２３に制御される。
【００３７】
ところで、上記ディスプレイ２８の一番下の行（以降、下ピクト行と称する）には、当該時点において、ソフトキー左６４、確定キー６５（十字キー６７の中心部）、ソフトキー右６６が押圧操作された場合に実行される機能の簡単な説明が、左下ピクト５６、中下ピクト５７、右下ピクト５８として示されている。ここで、上記ソフトキー左６４については上記左下ピクト５６、上記確定キー６５については上記中下ピクト５７、上記ソフトキー右６６については上記右下ピクト５８がそれぞれ対応している。
【００３８】
たとえば、図４（Ａ）に示す表示が上記ディスプレイ２８に為されている場合、上記ソフトキー左６４が押圧操作されると、“戻る”という機能が実行され、上記確定キー６５が押圧操作されると、同図においては図示されていないが、現在フォーカスが当たっている機能が選択される。また、上記ソフトキー右６６が押圧操作されると、“サブメニュー”が上記ディスプレイ２８に表示される。
【００３９】
ところで、図４（Ｂ）に示すように、上記下筐体部２Ｂは、上記キー５Ａとして、数字キー６１、「＊」キー６２、「＃」キー６３、ソフトキー左６４、確定キー６５、ソフトキー右６６、十字キー６７、メールキー６８、ブラウザキー６９、通話キー７０、電源キー７１、及びクリアキー７２を有する。
【００４０】
ここで、上記数字キー６１は、数字のほかに、かな文字、記号文字、アルファベット等が割り当てられており、例えば、「１」のキーには、数字「１」、「あ」「い」「う」「え」「お」のかな文字、及び「．」「＠」の記号が割り当てられており、「２」のキーには、数字「２」、「か」「き」「く」「け」「こ」のかな文字、及び「Ａ」「Ｂ」「Ｃ」「ａ」「ｂ」「ｃ」などのアルファベットが割り当てられている。
【００４１】
そして、上記「＊」キー６２には「＊」が割り当てられている。また、この「＊」キー６２は、文字入力状態において記号一覧、絵文字一覧を呼び出す為のキーでもある。上記「＃」キー６３には「＃」が割り当てられている。また、この「＃」キー６３は、文字入力状態において、数字キー６１による文字入力のトグルを逆にする為のキーでもある。
【００４２】
上記十字キー６７は、上キーと、下キーと、左キーと、右キーと、確定キー６５とを有する。すなわち、上記十字キー６７は、カーソル等を上下左右方向に移動する為のキーである。また、上記確定キー６５は、さまざまな機能を確定する為のキーである。上記メールキー６８は、メールの送受信機能を呼び出す為のキーである。また、上記ブラウザキー６９は、Ｗｅｂ等に接続する為のキーである。
【００４３】
上記通話キー７０は、主に電話を受ける際や、通常の発信をする際に用いるキーである。上記電源キー７１は、主に電源のＯＮ／ＯＦＦ、終話操作、及び機能や編集等の終了操作の為のキーである。さらに、上記クリアキー７２は、主として、機能や編集等をクリアする為、及び文字入力の際に文字を消去する為のキーである。また、上記ディスプレイ２８が待受画面を表示している時に、上記クリアキー７２が押圧操作されると、上記ディスプレイ２８にはメモ帳が呼び出されて表示される。
【００４４】
以下、本一実施形態に係る携帯電話機の上記制御ユニット２３によるテレビ電話時の動作制御について、図５及び図６に示すフローチャートを参照して説明する。なお、これらのフローチャートの各ステップにおける上記ディスプレイ２８の表示状態については、適宜、図７乃至図１２を参照して説明する。
【００４５】
まず、上記数字キー６１が操作されて通信相手先の携帯電話機の電話番号が入力される等して通信相手先の携帯電話機の電話番号が入力された（図７に示す状態Ａから状態Ｂへ遷移した）か否かを判断する（ステップＳ１）。このステップＳ１をＮＯに分岐する場合は、再びステップＳ１に戻る。すなわち、このステップＳ１は、当該携帯電話機に通信相手先の携帯電話機の電話番号が入力されるのを待つステップである。
【００４６】
上記ステップＳ１をＹＥＳに分岐する場合は、テレビ電話の発呼を行う為の所定の操作が行われたか否かを判断する（ステップＳ２）。このステップＳ２をＮＯに分岐する場合は、通常の電話の発呼を行う為の所定の操作が行われたか否かを判断する（ステップＳ２Ａ）。このステップＳ２ＡをＮＯに分岐する場合は、上記ステップＳ２へ戻る。一方、上記ステップＳ２ＡをＹＥＳに分岐する場合は、上記制御ユニット２３による通常の電話時の動作制御のフローチャート（不図示）へ移行する。なお、上記制御ユニット２３による通常の電話時の動作制御については、従来の携帯電話機にて用いられている動作制御の為、フローチャートの図示及び説明は省略する。
【００４７】
上記ステップＳ２をＹＥＳに分岐する場合は、テレビ電話の発呼を行い（ステップＳ３）、呼が成立して通話が開始されたか否かを判断する（ステップＳ４）。このステップＳ４をＮＯに分岐する場合は、再びステップＳ４に戻る。すなわち、このステップＳ４は、呼が成立して通話が開始されるのを待つステップである。
【００４８】
上記ステップＳ４をＹＥＳに分岐する場合は、上記カメラ３３によって撮像されて電気信号に変換された映像を、通信相手先の携帯電話機に送信する（ステップＳ５）。このとき、通信相手先の携帯電話機からも同様に、通信相手先の携帯電話機のユーザーの映像が送信され、当該携帯電話機の上記ディスプレイ２８に表示される（図７に示す状態Ｃ）。なお、ユーザーの映像は、通常テレビ電話にて用いられているＨ．２６３等の映像コーデックにて圧縮され、映像情報として送信される。また、例えば、図７に示す状態Ｃにおいて、大きい枠内は相手方から送信される映像を表示し、小さい枠内には携帯電話機にて撮影した映像が表示されるが、これに限定されない。以後、その他の状態においても大きい枠内、及び小さい枠内の表示に関しての説明は共通であるため省略する。
【００４９】
その後、上記電源キー７１の押圧操作が行われるか、或いは、通信相手先の携帯電話機にて呼を終了させる等の終話操作が行なわれたか否かを判断する（ステップＳ６）。このステップＳ６をＹＥＳに分岐する場合は、終話処理を行う（ステップＳ７）。
【００５０】
一方、上記ステップＳ６をＮＯに分岐する場合は、テレビ電話以外の何らかのアプリケーションを起動させる所定の操作が行われたか否かを判断する（ステップＳ８）。なお、本一実施形態においては、起動させるアプリケーションとしてＷＥＢブラウザ（以降、単にブラウザと称する）を想定する。ここで、ブラウザを起動させる方法として、例えば以下のような方法を挙げることができる。
【００５１】
まず、図７に示すようにテレビ電話の呼が成立した状態Ｃにおいては、上記右下ピクト５８は“ブラウザ”として表示され、ブラウザを起動するためのピクトとなっている。したがって、ユーザーは、上記ソフトキー右６６を押圧操作することで、ブラウザを起動することができる（状態Ｆ参照）。
【００５２】
また、図７に示すようにテレビ電話の呼が成立した状態Ｃにおいては、上記左下ピクト５６は“メニュー”として表示され、所定のメニュー画面をポップアップするためのピクトとなっている。したがって、ユーザーは、上記ソフトキー左６４を押圧操作することで、“ブラウザ起動”を含むメニューを表示させることができる（図７に示す状態Ｄ参照）。ここで、図７に示す状態Ｄにおいては、紙面のスペースの都合上メニューにおける各項目は記されていないが、メニューにおける各項目として、例えば“１、代替画像送信  ２、メモ帳起動  ３、ブラウザ起動、  ４、メール起動”等が挙げられる。そして、このとき上記左下ピクト５６は、“選択”を行うためのピクトとなっている。したがって、ユーザーは、上記十字キー６７を操作して上記メニューにおける“ブラウザ起動”にカーソル等を合わせて上記ソフトキー左６４を押圧操作することで、ブラウザを起動させることができる（状態Ｆ参照）。
【００５３】
ここで、図１０は、テレビ電話時においてブラウザを起動した場合の上記ディスプレイ２８における表示を詳細に示す図である。同図に示す例では、ブラウザによって地図情報が上記ディスプレイ２８に表示されている。
【００５４】
上記ステップＳ８をＮＯに分岐する場合は、上記ステップＳ６へ戻る。一方、上記ステップＳ８をＹＥＳに分岐する場合は、上記ステップＳ８にて起動されたアプリケーション（ここではブラウザ）の画面とテレビ電話の画面とを、図７に示すように上記ディスプレイ２８における表示画面を長手方向に２分割して２画面表示させ、以降は本一実施形態に係る携帯電話機の特徴の一つである２画面表示の動作制御のサブルーチンに入る（ステップＳ９）。なお、上記アプリケーションはブラウザに限られない。したがって、上記アプリケーションによる表示画面としては、例えばメール一覧表示、メール本文表示、または静止画像表示等でも勿論よい。また、長手方向に２分割して２画面表示させる例を示したがこれに限定されず、長手方向と垂直方向に２分割して２画面表示させてもよいし、この２画面に加えて他の画面を表示してもよい。
【００５５】
以下、上記ステップＳ９のサブルーチンを図６に示すフローチャートを参照して説明する。なお、本サブルーチンにおける処理の実行中において、上記電源キー７１の押圧操作が行われるか、或いは、通信相手先の携帯電話機にて呼を終了させる等の終話操作が行なわれた場合は、図５に示すフローチャートにおける上記ステップＳ７へ移行して終話処理を行う。
【００５６】
まず、上記ステップＳ８における操作によってアプリケーション（ここではブラウザ）が起動されると、図７に示す状態Ｆのように、上記ディスプレイ２８に表示されている上記テレビ電話側の表示画面（以降、テレビ電話画面１０１と称する）及び上記アプリケーション側の表示画面（以降、ブラウザ画面１０３と称する）のうち、起動されたアプリケーション側の画面をアクティブな状態（キー入力可能な状態）とする（ステップＳ１１）。換言すれば、アプリケーションが起動された当初は、起動されたアプリケーション側の画面にフォーカスが当てられた状態となる。
【００５７】
つづいて、上記ディスプレイ２８に表示されている上記テレビ電話画面１０１及び上記ブラウザ画面１０３のうち、アクティブな状態とする画面を切り替える操作が行われたか否かを判断する（ステップＳ１２）。すなわち、このステップＳ１２は、フォーカス切り替え操作が行われたか否かを判断するステップである。
【００５８】
ここで、フォーカス切り替え操作について、図７及び図１１を参照して説明する。なお、図１１は、図７に示す状態Ｅ及び状態Ｆをより詳細に示す図である。
【００５９】
図７及び図１１に示すように、本一実施形態に係る携帯電話機では、アクティブな状態すなわちキー入力可能な状態とする画面の切り替え（フォーカス切り替え）は、上記十字キー６７における上キー／下キーのダブルクリックまたはトリプルクリックによって行われる。したがって、本一実施形態に係る携帯電話機によれば、上記フォーカス切り替え操作の為の専用のキーを新たに設けなくてよい。このことは、筐体におけるキーを設けるスペース上の制約が大きい携帯電話機等の携帯端末装置にとって、非常にメリットが大きい。ただ、上記画面の切り替えの操作はこれに限定されることなく、他の操作でも良いし、キーの長押し（所定時間以上の押下）による切り替えでもよい。また、新たにキーを設けても良いし、その他ソフトキー左６４、ソフトキー右６６等による十字キー６７以外のキーによる切り替えであってもよい。
【００６０】
具体的には、図１１に示す状態Ｅのように、テレビ電話画面１０１がアクティブな状態となっている場合、上記十字キー６７における下キーが、ダブルクリックまたはトリプルクリックされると、ブラウザ画面１０３がアクティブな状態となる（状態Ｆ）。同様に、図１１に示す状態Ｆのようにブラウザ画面１０３がアクティブな状態となっている場合、上記十字キーにおける上キーが、ダブルクリックまたはトリプルクリックされると、テレビ電話画面１０１がアクティブな状態となる（状態Ｅ）。
【００６１】
なお、図７及び図１１に示すように、上記ディスプレイ２８における表示画面を２分割した状態の時は、上記右下ピクト５８は“フォーカス切替”を示しているので、ユーザーは上記ソフトキー右６６を押圧操作することでも、上記フォーカス切り替えを行うことができる。
【００６２】
また、アクティブな状態であることを識別する為の表示としては、図７及び図１１に示すようにアクティブな状態である当該画面を太枠１１０で囲っても良いし、またはアクティブな状態であることを示すアイコン（フォーカスアイコン）等をアクティブな状態である当該画面内に表示させることで識別可能としても勿論良い。
【００６３】
また、図１１に示すように、上記左下ピクト５６、上記中下ピクト５７、及び上記右下ピクト５８も、アクティブな状態の画面が切り替えられる（上記フォーカス切り替えが行われる）毎に、アクティブな状態となった画面に対応するようにその表示が切り替えられる。
【００６４】
このように、本一実施形態に係る携帯電話機では、新たな操作部材を設けることを要せず且つユーザーにとって直感的に把握しやすい操作で、上記フォーカス切り替えを行うことができる。
【００６５】
以下、図６に示すフローチャートの説明に戻る。上記ステップＳ１２をＹＥＳに分岐する場合には、図７及び図１１に示す状態Ｅのようにテレビ電話画面１０１をアクティブな状態とする（ステップＳ１３）。そして、メニューを表示させる為の所定の操作が行われたか否かを判断する（ステップＳ１４）。ここで、図７及び図１１に示すように、状態Ｅにおいては上記左下ピクト５６は“メニュー”を示しているので、ユーザーは上記ソフトキー左６４を押圧操作することで、上記ディスプレイ２８にサブメニューを表示させることができる。
【００６６】
上記ステップＳ１４をＮＯに分岐する場合には、上記ディスプレイ２８に表示されている上記テレビ電話画面１０１及び上記ブラウザ画面１０３のうち、上記フォーカス切り替えの操作が行われたか否かを判断する（ステップＳ１５）。このステップＳ１５をＹＥＳに分岐する場合には、上記ステップＳ１１に移行する。また、このステップＳ１５をＮＯに分岐する場合には、上記ステップＳ１３に移行する。
【００６７】
一方、上記ステップＳ１４をＹＥＳに分岐する場合には、図７に示す状態Ｅ’のようにテレビ電話に対応するメニュー８５を上記ディスプレイ２８に表示させる（ステップＳ１６）。ここで、図７においては紙面の都合上メニュー８５における項目の詳細は記されていないが、このメニュー８５における項目としては例えば“１、画面送信切替  ２、代替画像送信  ３、フォーカス切替  ４、他アプリケーション起動”等が挙げられる。
【００６８】
上記ステップＳ１６においてメニュー８５を上記ディスプレイ２８に表示させた後は、メニュー８５における“画面送信切替”を選択する操作が行われたか否かを判断する（ステップＳ１７）。このステップＳ１７をＮＯに分岐する場合は、再びステップＳ１７に戻る。すなわち、このステップＳ１７は、メニュー８５における“画面送信切替”が選択する操作が行われるのを待つステップである。
【００６９】
上記ステップＳ１７をＹＥＳに分岐する場合は、図８に示す状態Ｇのように、当該時点において上記ブラウザ画面１０３に表示されている画像を通信相手先の携帯電話機に送信し、且つ上記テレビ電話画面１０１の隣接部に、送信している上記画像を縮小表示（縮小送信画像１０５）させる（ステップＳ１８）。その後、上記ステップＳ１３へ移行する。
【００７０】
ここで、本一実施形態に係る携帯電話機においては、上記ブラウザ画面１０３に表示されている画像は、静止画の画像情報として通信相手先の携帯電話機に送信されるのではなく、通常テレビ電話にて用いられているＨ．２６３等の映像コーデックにて圧縮され、映像情報として送信される。
【００７１】
したがって、通信相手先の携帯電話機が、本一実施形態に係る携帯電話機ではなくとも、問題無く上記ブラウザ画面１０３を受信することができる。さらに、通信相手先の携帯電話機のユーザーは、上記ブラウザ画面１０３の送信者による操作で刻々と変化する上記ブラウザ画面１０３の表示内容を、リアルタイムで共有することができる。
【００７２】
なお、上記ステップＳ１８において上記テレビ電話画面１０１の隣接部に表示させる上記縮小送信画像１０５は、必ずしも表示させなくとも良い。また、上記ステップＳ１８においては、通信相手先の携帯電話機に画像を送信していることを示すアイコン等を、上記ブラウザ画面１０３内等に表示させても良い。
【００７３】
ところで、上記ステップＳ１２をＮＯに分岐する場合は、メニューを表示させる為の所定の操作が行われたか否かを判断する（ステップＳ１９）。ここで、図７及び図１１に示すように状態Ｆにおいては、上記左下ピクト５６は“メニュー”を示しているので、ユーザーは上記ソフトキー左６４を押圧操作することで、上記ディスプレイ２８にメニュー８５を表示させることができる。ここで、上記ステップＳ１９をＮＯに分岐する場合は、上記ステップＳ１２へ移行する。
【００７４】
上記ステップＳ１９をＹＥＳに分岐する場合には、図７に示す状態Ｆ’のように起動中のアプリケーションに対応するメニュー８５を上記ディスプレイ２８に表示させる（ステップＳ２０）。ここで、図７においては紙面の都合上メニューの項目の詳細は記されていないが、このメニュー８５における項目としては“１、画面送信切替  ２、お気に入り  ３、フォーカス切替  ４、他アプリケーション起動”等が挙げられる。
【００７５】
上記ステップＳ２０においてメニュー８５を上記ディスプレイ２８に表示させた後は、メニュー８５における“画面送信切替”が選択する操作が行われたか否かを判断する（ステップＳ２１）。このステップＳ２１をＮＯに分岐する場合は、再びステップＳ２１に戻る。すなわち、このステップＳ２１は、メニュー８５における“画面送信切替”を選択する操作が行われるのを待つステップである。
【００７６】
上記ステップＳ２１をＹＥＳに分岐する場合は、図８に示す状態Ｈのように、当該時点において上記ブラウザ画面１０３に表示されている画像を通信相手先の携帯電話機に送信し、且つ上記テレビ電話画面１０１の隣接部に、送信している上記画像を縮小表示（縮小送信画像１０５）させる（ステップＳ２２）。その後、上記ステップＳ１１へ移行する。
【００７７】
なお、上記ステップＳ２２において上記テレビ電話画面１０１の隣接部に表示させる上記縮小送信画像１０５は、必ずしも表示させなくとも良い。また、上記ステップＳ２２においては、通信相手先の携帯電話機に画像を送信していることを示すアイコン等を、上記ブラウザ画面１０３内等に表示させても良い。
【００７８】
なお、本一実施形態においては、上記左下ピクト５６、上記中下ピクト５７、及び上記右下ピクト５８を、図９（Ａ）に示すように、上記テレビ電話画面１０１と上記ブラウザ画面１０３との間に表示させても良い。さらに、上記メニュー８５を、図９（Ｂ）に示すように、上記テレビ電話画面１０１側の画面に表示させても良い。また、図９（Ｃ）に示すように、上記左下ピクト５６、上記中下ピクト５７、及び上記右下ピクト５８を上記テレビ電話画面１０１と上記ブラウザ画面１０３との間に表示させ、且つ上記メニュー８５を上記ブラウザ画面１０３側に表示させても勿論良い。さらには、上記テレビ電話画面１０１及び上記ブラウザ画面１０３のうちアクティブ状態である方の画面に、上記メニュー８５を表示させてもよい。また逆に、上記テレビ電話画面１０１及び上記ブラウザ画面１０３のうちアクティブ状態でない方の画面に、上記メニュー８５を表示させても勿論よい。上記いずれの場合においても、上記左下ピクト５６、上記中下ピクト５７、及び上記右下ピクト５８に表示される内容はアクティブ状態である画面に関連する内容を少なくとも含むものであり、またそれに伴うメニュー８５の内容もアクティブ状態である画面に関連する内容を少なくとも含むものであることが望ましい。このようにすると、当然、アクティブ状態を切り替えることで、左下ピクト５６、中下ピクト５７、及び右下ピクト５８の内容は変わることがあり、メニュー８５の内容も変わることがある。
【００７９】
以下、図１２を参照して、上記状態Ｅ乃至上記状態Ｈ時における通信相手先の携帯電話機の表示画面について説明する。なお、ここでは説明の便宜上、自携帯電話機において上記ブラウザ画面１０３がアクティブな状態となっている場合（状態Ｆ）を想定して説明するが、上記テレビ電話画面１０１がアクティブな状態となっている場合（状態Ｅ）に関しても同様である。
【００８０】
まず、図１２に示すように、自携帯電話機が状態Ｆの時には、通信相手先の携帯電話機におけるディスプレイ２２８には通常のテレビ電話画面２０１が表示される。この通信相手先の携帯電話機におけるテレビ電話画面２０１は、メインの画像として上記自携帯電話機のユーザーの画像が表示され、サブの画像として上記通信相手先の携帯電話機のユーザーの画像が表示される。
【００８１】
その後、自携帯電話機が上記状態Ｆ’を経た後に上記状態Ｈに移行した時、すなわち上記ブラウザ画面１０３に表示されている映像が上記通信相手先の携帯電話機に送信された後には、上記通信相手先の携帯電話機の上記ディスプレイ２２８には、図１２に示すようにメインの画面として上記自携帯電話機における上記ブラウザ画面１０３が表示され、サブの画面として上記通信相手先の携帯電話機のユーザーの画像２０５が表示される。
【００８２】
以上説明したように、本一実施形態によれば、高解像度化するディスプレイを有効に活用して、より高度なコミュニケーションを可能とする携帯端末装置を提供することができる。
【００８３】
具体的には、本一実施形態に係る携帯電話機によれば、テレビ電話利用時に他のアプリケーションを起動して２分割画面して、テレビ電話による表示画面であるテレビ電話画面１０１とアプリケーション（本一実施形態においてはＷＥＢブラウザを想定）による表示画面であるブラウザ画面１０３とを同時にディスプレイ２８に表示し、且つ上記ブラウザ画面１０３を通信相手先の携帯端末装置に送信することができる。
【００８４】
したがって、例えばテレビ電話利用時にブラウザを起動して地図をディスプレイに表示させ、該地図を見ながら通話している場合に、上記地図を通信相手先の携帯端末装置に送信することができるので上記地図による情報を通話相手と共有することができ、通話相手と非常に効率の良いコミュニケーションをとることができる。
【００８５】
このように、本一実施形態によれば、テレビ電話の通信相手と共通の映像を観察しながらコミュニケーションをとることができる携帯端末装置を提供することができる。
【００８６】
以上、一実施形態に基づいて本発明を説明したが、本発明は上述した実施形態に限定されるものではなく、本発明の要旨の範囲内で種々の変形及び応用が可能なことは勿論である。
【００８７】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００８８】
【図１】本発明の一実施形態に係る携帯電話機の構成を示すブロック図。
【図２】（Ａ）は、本発明の一実施形態に係る携帯電話機を約１８０度開いた時の外観図。（Ｂ）は、同側面図。
【図３】（Ａ）は、本発明の一実施形態に係る携帯電話機を閉じた時の正面図。（Ｂ）は、同側面図。
【図４】（Ａ）は、ディスプレイの表示例を示す図。（Ｂ）は、キーの配置の一例を示す図。
【図５】本発明の一実施形態に係る携帯電話機の制御ユニットによる動作制御を示すフローチャート。
【図６】起動されたアプリケーションによる表示画面とテレビ電話による表示画面とを同時に２画面表示させる場合の動作制御を示すフローチャート。
【図７】本発明の一実施形態に係る携帯電話機のディスプレイにおける表示の遷移を示す図の第１の部分。
【図８】本発明の一実施形態に係る携帯電話機のディスプレイにおける表示の遷移を示す図の第２の部分。
【図９】本発明の一実施形態に係る携帯電話機のディスプレイにおける表示構成の変形例を示す図。
【図１０】状態Ｃ及び状態Ｆにおけるディスプレイの表示を詳細に示す図。
【図１１】状態Ｅ及び状態Ｆにおけるディスプレイの表示を詳細に示す図。
【図１２】状態Ｅ乃至状態Ｈにおけるディスプレイの表示、及びそれぞれの状態時における通信相手先の携帯端末装置のディスプレイの表示を詳細に示す図。
【図１３】縦横の画素数が３２０×２４０ドットであるＱＶＧＡと、縦横の画素数が６４０×４８０ドットであるＶＧＡとを比較して示す図。
【符号の説明】
【００８９】
１…携帯電話機、  ２Ａ…上筐体部、  ２Ｂ…下筐体部、  ２Ｃ…ヒンジ部、  ２Ｂ…下筐体部、  ３ａ，３ｂ，３ｃ，３ｄ…磁気センサ、  ４…静電タッチパッド、  ５Ａ…キー、  ５Ｂ…サイドキー、  １１…アンテナ、  １２…アンテナ共用器、  １３…受信回路、  １４…周波数シンセサイザ、  １５…送信回路、  １６…ＣＤＭＡ信号処理ユニット、  １７…圧縮伸長処理ユニット、  １８…ＰＣＭ符号処理ユニット、  １９…受話増幅器、  ２０…スピーカ、  ２１…マイクロホン、  ２２…送話増幅器、  ２３…制御ユニット、  ２８…ディスプレイ、  ３３…カメラ、  ５６…左下ピクト、  ５７…中下ピクト、  ５８…右下ピクト、  ６１…数字キー、  ６２…「＊」キー、  ６３…「＃」キー、  ６４…ソフトキー左、  ６５…確定キー、  ６６…ソフトキー右、  ６７…十字キー、  ６８…メールキー、  ６９…ブラウザキー、  ７０…通話キー、  ７１…電源キー、  ７２…クリアキー、  １０１…テレビ電話画面、  １０３…ブラウザ画面、  １０５…縮小送信画像、  １１０…太枠。
【図１】
2008048062.tif 000003
【図２】
2008048062.tif 000004
【図３】
2008048062.tif 000005
【図４】
2008048062.tif 000006
【図５】
2008048062.tif 000007
【図６】
2008048062.tif 000008
【図７】
2008048062.tif 000009
【図８】
2008048062.tif 000010
【図９】
2008048062.tif 000011
【図１０】
2008048062.tif 000012
【図１１】
2008048062.tif 000013
【図１２】
2008048062.tif 000014
【図１３】
2008048062.tif 000015